(57)【要約】【課題】ユーザの携帯端末に地域関連情報を提供する場合に、携帯端末の移動速度を考慮した上で、提供する地域関連情報を選択すること。【解決手段】選択手段１０２は、携帯端末２の位置情報と移動速度の情報とに基づいて、位置情報が示す地域に関連する地域関連情報を選択する。印刷手段３０１は、選択手段１０２が選択した地域関連情報を印刷する。【選択図】図５
2016062433.tif 000002
【特許請求の範囲】
【請求項１】
携帯端末の位置情報と移動速度の情報とに基づいて、前記位置情報が示す地域に関連する地域関連情報を選択する選択手段を備える制御装置。
【請求項２】
前記選択手段は、前記移動速度が予め定められた速度範囲内である場合、前記位置情報から特定された前記携帯端末の位置を含む地域に該当する地域関連情報を選択する請求項１に記載の制御装置。
【請求項３】
前記選択手段は、前記位置情報のうち、前記移動速度が徒歩の速度範囲内である徒歩区間を特定し、当該徒歩区間に関連する地域関連情報を選択する請求項１または２に記載の制御装置。
【請求項４】
前記選択手段は、前記位置情報のうち、前記移動速度が滞在を示す速度範囲内である滞在区間を特定し、当該滞在区間に関連する地域関連情報を選択する請求項１乃至３のいずれか１項に記載の制御装置。
【請求項５】
前記選択手段は、前記滞在区間における滞在時間が長いほど前記地域関連情報の対象地域を拡大する請求項４に記載の制御装置。
【請求項６】
前記選択手段は、前記滞在区間における滞在時間の長さに応じた種別の地域関連情報を選択する請求項４に記載の制御装置。
【請求項７】
前記選択手段は、前記移動速度が乗り物の速度範囲内である乗り物区間を特定し、当該乗り物区間が前記滞在区間の前後に存在する場合に、前記滞在区間に関連する地域関連情報を選択する請求項４に記載の制御装置。
【請求項８】
前記選択手段は、前記選択をする時刻に応じた種別の地域関連情報を選択する請求項１乃至７のいずれか１項に記載の制御装置。
【請求項９】
携帯端末の位置情報と移動速度の情報とに基づいて、前記位置情報が示す地域に関連する地域関連情報を選択する選択手段と、
前記選択手段が選択した地域関連情報を印刷する印刷手段と
を備える印刷装置。
【請求項１０】
前記携帯端末のユーザからの指示に応じた情報を前記印刷手段によって印刷する場合に当該ユーザに課金する課金手段を備え、
前記印刷手段は、前記携帯端末のユーザからの指示に応じた情報と、前記選択手段が選択した地域関連情報とを印刷し、
前記課金手段は、前記情報の印刷に対して課金される額から、前記地域関連情報に応じた金額を差し引いて前記ユーザに課金する
請求項９に記載の印刷装置。
【請求項１１】
自装置の位置情報と移動速度の情報とに基づいて、前記位置情報が示す地域に関連する地域関連情報を選択する選択手段と、
前記選択手段が選択した地域関連情報を表示する表示手段と
を備える携帯端末。
【請求項１２】
前記選択手段は、前記移動速度が予め定められた速度範囲内である場合、前記位置情報から特定された自装置の位置を含む地域に該当する地域関連情報を選択する請求項１１に記載の携帯端末。
【請求項１３】
自装置のユーザが指定したプログラムを実行する実行手段と、
前記実行手段によって前記プログラムを実行した場合に前記ユーザに課金する課金手段と
を備え、
前記プログラムの実行前か実行中か実行後の少なくともいずれか一つにおいて、前記表示手段が前記地域関連情報を表示した場合、
前記課金手段は、前記プログラムの実行に対して課金される額から、前記地域関連情報に応じた金額を差し引いて前記ユーザに課金する
請求項１１または１２に記載の携帯端末。
【請求項１４】
コンピュータを、
携帯端末の位置情報と移動速度の情報とに基づいて、前記位置情報が示す地域に関連する地域関連情報を選択する選択手段
として機能させるためのプログラム。
【請求項１５】
前記選択手段は、前記移動速度が予め定められた速度範囲内である場合、前記位置情報から特定された前記携帯端末の位置を含む地域に該当する地域関連情報を選択する請求項１４に記載のプログラム。
【発明の詳細な説明】
【技術分野】
【０００１】
本発明は、制御装置、印刷装置、携帯端末及びプログラムに関する。
【背景技術】
【０００２】
特許文献１には、携帯端末に広告情報を表示させる技術が記載されている。この技術においては、携帯端末配信システムが、携帯端末を所持するユーザの位置情報と、移動体（電車、バスなど）の路線情報（移動体の位置、路線図、停車位置など）とから、ユーザが利用中の移動体を特定し、この移動体の行き先などに関連した広告情報をこのユーザが所持する携帯端末に表示させる。
特許文献２には、移動体（電車、バスなど）の利用者の特徴を移動体への広告配信に利用する技術が記載されている。この技術においては、移動体特徴記述装置が、移動体の利用者の位置情報の履歴から、移動体の移動区間の終点における利用者の行動や状況を推定し、推定した行動や状況を集計することにより、移動体の利用者の特徴を記述する。
【先行技術文献】
【特許文献】
【０００３】
【特許文献１】特開２００５−２５００８１号公報
【特許文献２】特開２０１２−１４３５７号公報
【発明の概要】
【発明が解決しようとする課題】
【０００４】
ここで、配信される広告が携帯端末の位置情報のみに基づくものである場合、たとえば、単に乗り物で通過するだけの区域であってユーザが立ち寄らない区域に関する広告、つまり利用可能性が低い広告が配信されることがあり得る。またユーザが立ち寄る区域であっても、徒歩で通過しているだけの区域か、しばらく滞在している区域かによって利用される広告が異なるケースもあり得るが、配信される広告が携帯端末の位置情報のみに基づくものである場合はそれらに対応することは難しい。
上記に鑑みて本発明は、ユーザに地域関連情報を提供する場合に、ユーザの携帯端末の移動速度を考慮した上で、提供する地域関連情報を選択することを目的とする。
【課題を解決するための手段】
【０００５】
請求項１に係る発明は、携帯端末の位置情報と移動速度の情報とに基づいて、前記位置情報が示す地域に関連する地域関連情報を選択する選択手段を備える制御装置を提供する。
【０００６】
請求項２に係る発明は、請求項１に記載の制御装置において、前記選択手段は、前記移動速度が予め定められた速度範囲内である場合、前記位置情報から特定された前記携帯端末の位置を含む地域に該当する地域関連情報を選択する。
【０００７】
請求項３に係る発明は、請求項１または２に記載の制御装置において、前記選択手段は、前記位置情報のうち、前記移動速度が徒歩の速度範囲内である徒歩区間を特定し、当該徒歩区間に関連する地域関連情報を選択する。
【０００８】
請求項４に係る発明は、請求項１乃至３のいずれか１項に記載の制御装置において、前記選択手段は、前記位置情報のうち、前記移動速度が滞在を示す速度範囲内である滞在区間を特定し、当該滞在区間に関連する地域関連情報を選択する。
【０００９】
請求項５に係る発明は、請求項４に記載の制御装置において、前記選択手段は、前記滞在区間における滞在時間が長いほど前記地域関連情報の対象地域を拡大する。
【００１０】
請求項６に係る発明は、請求項４に記載の制御装置において、前記選択手段は、前記滞在区間における滞在時間の長さに応じた種別の地域関連情報を選択する。
【００１１】
請求項７に係る発明は、請求項４に記載の制御装置において、前記選択手段は、前記移動速度が乗り物の速度範囲内である乗り物区間を特定し、当該乗り物区間が前記滞在区間の前後に存在する場合に、前記滞在区間に関連する地域関連情報を選択する。
【００１２】
請求項８に係る発明は、請求項１乃至７のいずれか１項に記載の制御装置において、前記選択手段は、前記選択をする時刻に応じた種別の地域関連情報を選択する。
【００１３】
請求項９に係る発明は、携帯端末の位置情報と移動速度の情報とに基づいて、前記位置情報が示す地域に関連する地域関連情報を選択する選択手段と、前記選択手段が選択した地域関連情報を印刷する印刷手段とを備える印刷装置を提供する。
【００１４】
請求項１０に係る発明は、請求項９に記載の印刷装置において、前記携帯端末のユーザからの指示に応じた情報を前記印刷手段によって印刷する場合に当該ユーザに課金する課金手段を備え、前記印刷手段は、前記携帯端末のユーザからの指示に応じた情報と、前記選択手段が選択した地域関連情報とを印刷し、前記課金手段は、前記情報の印刷に対して課金される額から、前記地域関連情報に応じた金額を差し引いて前記ユーザに課金する。
【００１５】
請求項１１に係る発明は、自装置の位置情報と移動速度の情報とに基づいて、前記位置情報が示す地域に関連する地域関連情報を選択する選択手段と、前記選択手段が選択した地域関連情報を表示する表示手段とを備える携帯端末を提供する。
【００１６】
請求項１２に係る発明は、請求項１１に記載の携帯端末において、前記選択手段は、前記移動速度が予め定められた速度範囲内である場合、前記位置情報から特定された自装置の位置を含む地域に該当する地域関連情報を選択する。
【００１７】
請求項１３に係る発明は、請求項１１または１２に記載の携帯端末において、自装置のユーザが指定したプログラムを実行する実行手段と、前記実行手段によって前記プログラムを実行した場合に前記ユーザに課金する課金手段とを備え、前記プログラムの実行前か実行中か実行後の少なくともいずれか一つにおいて、前記表示手段が前記地域関連情報を表示した場合、前記課金手段は、前記プログラムの実行に対して課金される額から、前記地域関連情報に応じた金額を差し引いて前記ユーザに課金する。
【００１８】
請求項１４に係る発明は、コンピュータを、携帯端末の位置情報と移動速度の情報とに基づいて、前記位置情報が示す地域に関連する地域関連情報を選択する選択手段として機能させるためのプログラムを提供する。
【００１９】
請求項１５に係る発明は、請求項１４に記載のプログラムにおいて、前記選択手段は、前記移動速度が予め定められた速度範囲内である場合、前記位置情報から特定された前記携帯端末の位置を含む地域に該当する地域関連情報を選択する。
【発明の効果】
【００２０】
請求項１、９、１１、１４に係る発明によれば、ユーザに地域関連情報を提供する場合に、ユーザの携帯端末の移動速度を考慮した上で、提供する地域関連情報を選択することができる。
請求項２、１２、１５に係る発明によれば、予め定められた速度範囲内の移動速度で移動したユーザに対して地域関連情報を提供することができる。
請求項３に係る発明によれば、ユーザが徒歩で移動する地域に関連する地域関連情報を選択することができる。
請求項４に係る発明によれば、ユーザが滞在する地域に関連する地域関連情報を選択することができる。
請求項５に係る発明によれば、ユーザの滞在期間が長いほど広い対象地域に関連する地域関連情報を選択することができる。
請求項６に係る発明によれば、ユーザの滞在期間の長さに応じた種別の地域関連情報を選択することができる。
請求項７に係る発明によれば、ユーザが乗り物を乗り換える場所に関連する地域関連情報を選択することができる。
請求項８に係る発明によれば、地域関連情報の選択をする時刻に応じた種別の地域関連情報を選択することができる。
請求項１０、１３に係る発明によれば、携帯端末のユーザへの地域関連情報の提供を促進することができる。
【図面の簡単な説明】
【００２１】
【図１】実施形態の構成の全体を示す図。
【図２】履歴ＤＢ２０を示す図。
【図３】広告ＤＢ４０の記憶内容を示す図。
【図４】制御装置１及び印刷装置３の機能構成を示す図。
【図５】制御装置１の動作を示す流れ図。
【図６】位置情報の履歴情報の解析結果の一例を示す図。
【図７】携帯端末２のハードウェア構成を示す図。
【図８】携帯端末２の機能構成を示す図。
【図９】携帯端末２の動作を示す流れ図。
【発明を実施するための形態】
【００２２】
＜第１実施形態＞
本発明の実施形態の一例について説明する。図１は、ハードウェア構成を示す図である。制御装置１は、印刷装置３と一体に構成されている。制御装置１は、印刷装置３の動作を制御する機能を有する。携帯端末２は、ユーザが携帯する携帯電話機、スマートフォン、タブレット端末などの通信端末である。広告サーバ４は、広告データを格納したデータベースなどを備え、印刷装置３からの要求に応じて印刷装置３にデータを送信する。
【００２３】
印刷装置３は、搬送部３１、印刷部３２及びＵＩ部３３（User Interface）を備える。搬送部３１は、収容部（図示省略）に収容されたシート状の記録媒体を１枚ずつ取り出し、取り出した記録媒体を搬送路（図示省略）に沿って搬送する。印刷部３２は、制御装置１から供給された画像データに基づいて、例えば電子写真方式によりトナー像を形成し、搬送路上を搬送される記録媒体にトナー像を転写する。ＵＩ部３３は、表示部と受付部とを備える（図示省略）。表示部は、例えば液晶表示装置であり、ユーザが印刷装置を操作するための操作画面を表示する。受付部は、例えば表示部の表示面を覆うように設けられたタッチパネルであり、ユーザが行った操作を受け付けて制御装置１に出力する。
【００２４】
制御装置１は、制御部１１、記憶部１２、通信部１３及び近距離無線通信部１４を備える。制御部１１は、ＣＰＵ（Central Processing Unit）などの演算装置と、ＲＯＭ（Read Only Memory）やＲＡＭ（Random Access Memory）などの記憶装置とを備える（いずれも図示省略）。ＲＯＭには、ハードウェアやＯＳ（Operating System）の起動の手順を記述したファームウェアが記憶されている。ＲＡＭは、ＣＰＵが演算を実行する際のデータの記憶に用いられる。記憶部１２は、例えばハードディスク記憶装置を備え、ＯＳやアプリケーションプログラムなどが記憶されている。通信部１３は、ＬＡＮ（Local Area Network）などの通信回線経由で制御装置１を広告サーバ４に接続する通信Ｉ／Ｆ（Interface）である。近距離無線通信部１４は、携帯端末２との間で近距離無線通信による通信を行うための通信Ｉ／Ｆであり、例えば、携帯端末２に備えられた非接触型ＩＣ（Integrated Circuit）カードとの間で通信を行うリーダライタである。制御装置１の筐体の外側には、近距離無線通信部１４の位置を示す目印が設けられており、この目印の位置にユーザが携帯端末２をかざすことによって制御装置１と携帯端末２との間で近距離無線通信が行われる。
【００２５】
図２は、履歴ＤＢ２０を示す図である。履歴ＤＢ２０は、携帯端末２の位置情報の履歴情報を蓄積するデータベースである。携帯端末２は、公知の衛星測位システムなどを利用することによって、携帯端末２の位置を表す位置情報を取得し、携帯端末２に備えられた記憶装置に、取得した位置情報と時刻とを対応付けて記憶させる。この例では、時刻を基準日時からの経過時間で表し、位置を緯度と経度で表しているが、時刻と位置はどのように記述されていてもよい。位置情報の取得のタイミングは、一定時間間隔が望ましい。履歴ＤＢ２０には、数週間分の位置情報の履歴情報を記憶しておくことが望ましい。最新の位置情報を追加する度に最古の位置情報を消去するようにしてもよい。
【００２６】
図３は、広告ＤＢ４０の記憶内容を示す図である。広告ＤＢ４０は、広告データを蓄積したデータベースであり、広告サーバ４に備えられた記憶装置に記憶されている。本実施形態における広告データは、本発明に係る地域関連情報の一例である。広告ＤＢ４０のレコードは、位置（緯度、経度）、属性（名称、駅名）、情報（ＵＲＬ）のフィールドを有する。緯度、経度は、店舗の位置を緯度、経度で表したものである。名称は、その店舗の名称である。駅名は、その店舗が駅舎内に設置されている場合の駅名である。ＵＲＬ（Uniform Resource Locator）は、その店舗の広告データの記憶場所のアドレスである。
【００２７】
図４は、制御装置１及び印刷装置３の機能構成を示す図である。制御装置１は、位置情報取得手段１０１、選択手段１０２、情報取得手段１０３、出力手段１０４及び課金手段１０５を備え、印刷装置３は印刷手段３０１を備える。
【００２８】
位置情報取得手段１０１は、携帯端末２の位置を表す位置情報の履歴情報を取得する手段である。具体的には、制御装置１が近距離無線通信部１４を通じて携帯端末２から位置情報の履歴情報を受信する。なお、位置情報取得手段１０１は、近距離無線通信部１４による受信に限らず、通信部１３によってネットワーク経由で携帯端末２から位置情報の履歴情報を受信してもよい。また、位置情報取得手段１０１は、携帯端末２からの受信に限らず、ＵＳＢ（Universal Serial Bus）メモリやＳＤカード、ＤＶＤ（Digital Versatile Disc）−ＲＯＭ等の記憶媒体を介して位置情報の履歴情報を取得してもよい。
【００２９】
選択手段１０２は、携帯端末２の移動速度が予め定められた速度範囲内である場合、位置情報から特定された携帯端末２の位置を含む地域に該当する広告データを選択する。具体的には、選択手段１０２は、位置情報取得手段１０１が取得した位置情報の履歴情報から移動速度を算出し、特定の速度範囲毎に位置情報を区分けし、区分けされた位置情報を使って、取得する広告データを選択する。本実施形態では、位置情報を、移動速度が滞在を示す速度範囲内である滞在区間、移動速度が徒歩の速度範囲内である徒歩区間、移動速度が乗り物の速度範囲内である乗り物区間の３つに区分けし、徒歩区間と滞在区間に区分けされた複数の位置情報に近接した地域の広告データを選択する。図６は、位置情報の履歴情報の解析結果の一例を示す図である。
【００３０】
なお、徒歩区間と滞在区間では、位置情報に対する近接度合いを変更するのが望ましい。例えば、徒歩区間ではユーザが歩いている場所の近辺の広告データを取得するように、徒歩区間の位置情報から第一の距離以内の地域を、広告データを取得する対象地域に決定する。また、滞在区間では徒歩区間よりも広い地域の広告データを取得するように、滞在区間の位置情報から第一の距離より長い第二の距離以内の地域を、広告データを取得する対象地域に決定する。
【００３１】
また、選択手段１０２は、乗り物区間が滞在区間の前後に存在する場合に、滞在区間に関連する広告データを選択する。具体的には、乗り物区間が滞在区間の前後に存在する場合には、その滞在区間に乗換駅などの施設が存在することが考えられるため、当該滞在区間を、駅に関連する広告データを取得する対象地域に決定する。
【００３２】
情報取得手段１０３は、選択手段１０２が選択した広告データを広告ＤＢ４０から検索取得する手段である。具体的には、選択手段１０２が決定した対象地域（徒歩区間の位置情報から第一の距離以内の地域、および滞在区間の位置情報から第二の距離以内の地域）に対応するレコードを広告ＤＢ４０から読み出す。また、駅に関連する広告データを取得する対象地域については、滞在区間に該当する広告ＤＢ４０のレコードのうち、属性として駅名が格納されているレコードを読み出す。
出力手段１０４は、情報取得手段１０３が取得した複数の広告データを印刷装置３に出力する。
【００３３】
印刷手段３０１は、携帯端末２のユーザからの指示に応じた情報と、選択手段が選択した広告データとを印刷する。具体的には、印刷装置３（制御装置１を含む）は、コンビニエンスストアなどに設置されており、印刷を含む種々のサービスが提供される。そのサービスの一例として、本実施形態では、ネット経由の画像の印刷サービスの例を示す。このサービスでは、ユーザが自宅のＰＣ（Personal Computer）などから、認証情報（例えば、ユーザ識別子とパスワード）を対応付けた画像データをインターネット経由で外部の記憶装置に送信する。ユーザは、コンビニエンスストアに赴き、印刷装置３を操作して外部の記憶装置から画像データを取得し、この画像データが表す画像を印刷装置３に印刷させる。この画像データは、携帯端末２のユーザからの指示に応じた情報の一例である。また、このサービスにおいては、ユーザが送信した画像データが表す画像に加えて、位置情報の履歴情報を利用して広告ＤＢ４０から取得した広告データが表す画像が印刷される。
【００３４】
課金手段１０５は、携帯端末２のユーザからの指示に応じた情報を印刷装置３によって印刷する場合に当該ユーザに課金する。具体的には、課金手段１０５は、ユーザからの指示に応じた情報の印刷に対して課金される額から、広告データに応じた金額を差し引いてユーザに課金する。具体的には、制御部１１は、ネット経由の画像の印刷サービスの料金から、例えば、その料金に予め定められた割引率を乗じた金額を差し引いた金額をＵＩ部３３に表示させる。ユーザがその金額を料金箱に投入することによって、広告サービスが付加されたネット経由の画像の印刷サービスが終了する。
【００３５】
図５は、制御装置１の動作を示す流れ図である。制御装置１の制御部１１は、記憶部１２に記憶されたアプリケーションプログラムで記述された手順に従って以下の処理を実行する。以下で説明する動作は、ユーザが印刷装置３にネット経由の画像の印刷サービスの指示を入力することによって開始される。
【００３６】
ステップＳ１０１において、制御部１１は、画像データを取得する。具体的には、ユーザが印刷装置３のＵＩ部３３に認証情報を入力する。制御部１１は、この認証情報に対応する画像データの送信を外部の記憶装置に要求する。外部の記憶装置は、この認証情報に対応する画像データを制御装置１に送信する。制御部１１は、この画像データを受信して記憶部１２に記憶させる。
【００３７】
ステップＳ１０２において、制御部１１は、広告サービスを利用するか否かをユーザに問い合わせる。具体的には、制御部１１は、広告サービスの内容を説明する文章と、例えば「広告サービスを利用しますか？」という文章と、「はい」、「いいえ」の各ボタンとをＵＩ部３３に表示させる。「はい」のボタンが押下された場合（ステップＳ１０２：ＹＥＳ）には、制御部１１の処理はステップＳ１０３に進む。「いいえ」のボタンが押下された場合（ステップＳ１０２：ＮＯ）には、制御部１１の処理はステップＳ２０１に進む。
【００３８】
ステップＳ１０３において、制御部１１は、携帯端末２をかざすようにユーザに促す。具体的には、制御部１１は、近距離無線通信部１４の位置を示す絵と、例えば「お手持ちのスマートフォン、携帯電話機などをかざしてください。」という文章とをＵＩ部３３に表示させる。ユーザが携帯端末２を近距離無線通信部１４の位置にかざすと、制御部１１の処理はステップＳ１０４に進む。
【００３９】
ステップＳ１０４において、制御部１１は、位置情報の履歴情報の取得を許可するか否かをユーザに問い合わせる。具体的には、制御部１１は、例えば「スマートフォンや携帯電話機から位置情報の履歴を取得してもよろしいですか？」という文章と、「はい」、「いいえ」の各ボタンとをＵＩ部３３に表示させる。「はい」のボタンが押下された場合（ステップＳ１０４：ＹＥＳ）には、制御部１１の処理はステップＳ１０５に進む。「いいえ」のボタンが押下された場合（ステップＳ１０４：ＮＯ）には、制御部１１の処理はステップＳ２０１に進む。
【００４０】
ステップＳ１０５において、制御部１１は、位置情報の履歴情報を取得して解析する。具体的には、制御部１１は、近距離無線通信により、携帯端末２に位置情報の履歴情報を要求する。携帯端末２から位置情報の履歴情報を受信すると、制御部１１は、位置情報の履歴情報において互いに隣接する２つの時刻間の移動距離を算出し、この移動距離を２つの時刻の差で除することによって移動速度を算出する。移動速度には、２つの閾値が設定されている。第１閾値は、徒歩の移動速度の最大値であり、第２閾値は、徒歩の移動速度の最小値である。制御部１１は、移動速度が第１閾値以上である区間をユーザが乗り物（電車、自動車など）に乗って移動した区間（以下、乗り物区間という。）と判定し、移動速度が第１閾値未満で第２閾値以上である区間をユーザが徒歩で移動した区間（以下、徒歩区間という。）と判定し、移動速度が第２閾値未満である区間をユーザが滞在した区間（以下、滞在区間という。）と判定する。また、制御部１１は、乗り物区間が滞在区間の前後に存在する場合には、その滞在区間に乗換駅などの施設が存在すると判断する。図６は、位置情報の履歴情報の解析結果の一例を示す図である。
【００４１】
ステップＳ１０６において、制御部１１は、解析結果に応じた広告データを取得する。具体的には、制御部１１は、徒歩区間の位置情報から第一の距離以内の地域を、徒歩区間に関連する広告データを取得する対象地域に決定する。また、滞在区間の位置情報から第一の距離より長い第二の距離以内の地域を、滞在区間に関連する広告データを取得する対象地域に決定する。そして、決定された対象地域に対応するＵＲＬを広告ＤＢ４０から取得する。また、ステップＳ１０５で滞在区間に乗換駅などの施設があると判断された場合には、駅名が対応付けられているＵＲＬを取得する。
【００４２】
ステップＳ１０７において、制御部１１は、画像データと広告データとを印刷する。具体的には、制御部１１は、画像データが表す画像の上下の余白に広告データが表す画像を配置して印刷装置３に印刷させる。
【００４３】
ステップＳ１０８において、制御部１１は、料金を減額して課金する。具体的には、制御部１１は、ネット経由の画像の印刷サービスの料金から、例えば、その料金に予め定められた割引率を乗じた金額を差し引いた金額をＵＩ部３３に表示させる。ユーザがその金額を料金箱に投入することによって、広告サービスが付加されたネット経由の画像の印刷サービスが終了する。
【００４４】
一方、ステップＳ２０１において、制御部１１は、外部の記憶装置から取得した画像データに基づく画像を印刷装置３に印刷させる。この場合、広告データは取得されないから、広告の画像は印刷されない。
ステップＳ２０２において、制御部１１は、ネット経由の画像の印刷サービスの料金を課金する。この場合、広告サービスに応じた料金の減額は適用されない。
【００４５】
＜第２実施形態＞
本実施形態は、携帯端末２で実行するアプリケーションに前述の広告サービスの機能を組み込んだ例である。具体的には、以下のとおりである。
図７は、携帯端末２のハードウェア構成を示す図である。携帯端末２は、制御部２１、記憶部２２、通信部２３及びＵＩ部２４を備える。制御部２１は、ＣＰＵ（Central Processing Unit）などの演算装置と、ＲＯＭ（Read Only Memory）やＲＡＭ（Random Access Memory）などの記憶装置とを備える（いずれも図示省略）。ＲＯＭには、ハードウェアやＯＳ（Operating System）の起動の手順を記述したファームウェアが記憶されている。ＲＡＭは、ＣＰＵが演算を実行する際のデータの記憶に用いられる。記憶部２２は、例えば半導体メモリを備え、ＯＳやアプリケーションプログラムなどが記憶されている。また、記憶部２２は、第１実施形態と同様の履歴ＤＢ２０を記憶する。通信部２３は、移動通信網経由で携帯端末２を広告サーバ４に接続する通信Ｉ／Ｆである。ＵＩ部２４は、表示部と受付部とを備える（図示省略）。表示部は、例えば液晶表示装置であり、ユーザが携帯端末２を操作するための操作画面を表示する。受付部は、例えば表示部の表示面を覆うように設けられたタッチパネルであり、ユーザが行った操作を受け付けて制御部２１に出力する。
【００４６】
本実施形態におけるアプリケーションプログラムは、例えば、インターネット経由で通信販売やオンラインゲームなどのサービスを提供するものであり、移動通信網およびインターネット経由でプロバイダのサーバと通信し、利用の内容に応じた料金がユーザに請求される仕組みになっている。アプリケーションプログラムを携帯端末２にインストールする際、位置情報の記録を許可するか否かをユーザに問い合わせる画面がＵＩ部２４に表示される。位置情報の記録を許可する旨をユーザがＵＩ部２４に入力すると、アプリケーションプログラムのインストール完了後に、公知の衛星測位システムなどを利用することによって、定められた時間毎に位置情報が履歴ＤＢ２０に記録される。アプリケーションプログラムがアンインストールされるまで、位置情報の記録が続けられる。
【００４７】
図８は、携帯端末２の機能構成を示す図である。携帯端末２は、位置情報取得手段２０１、選択手段２０２、情報取得手段２０３、表示手段２０４及び課金手段２０５を備える。なお、選択手段２０２と情報取得手段２０３の構成は、第１実施形態と同様である。
【００４８】
位置情報取得手段２０１は、携帯端末２の位置を表す位置情報の履歴情報を取得する手段である。具体的には、制御部２１が記憶部２２に記憶された履歴ＤＢ２０から位置情報の履歴情報を取得する。
【００４９】
表示手段２０４は、情報取得手段２０３が取得した複数の広告データを表示する。具体的には、制御部２１が広告ＤＢ４０から検索取得した広告データをＵＩ部２４に出力する。ＵＩ部２４は、出力された広告データを表示する。
【００５０】
課金手段２０５は、ユーザが指定したアプリケーションプログラムを携帯端末２によって実行した場合にユーザに課金する手段である。ユーザが指定したアプリケーションプログラムの実行前か実行中か実行後の少なくともいずれか一つにおいて、表示手段２０４が広告データを表示した場合、課金手段２０５は、アプリケーションプログラムの実行に対して課金される額から、広告データに応じた金額を差し引いてユーザに課金する。
【００５１】
図９は、携帯端末２の動作を示す流れ図である。携帯端末２の制御部２１は、記憶部２２に記憶されたアプリケーションプログラムで記述された手順に従って以下の処理を実行する。以下で説明する動作は、ユーザが携帯端末２にアプリケーションプログラムの実行開始を指示することによって開始される。
【００５２】
ステップＳ３０１において、制御部２１は、広告サービスを利用するか否かをユーザに問い合わせる。具体的には、制御部２１は、広告サービスの内容を説明する文章と、例えば「広告サービスを利用しますか？」という文章と、「はい」、「いいえ」の各ボタンとをＵＩ部２４に表示させる。「はい」のボタンが押下された場合（ステップＳ３０１：ＹＥＳ）には、制御部２１の処理はステップＳ３０２に進む。「いいえ」のボタンが押下された場合（ステップＳ３０１：ＮＯ）には、制御部１１の処理はステップＳ４０１に進む。
【００５３】
ステップＳ３０２において、制御部２１は、位置情報の履歴情報を取得して解析する。具体的には、制御部２１は、記憶部２２に記録された履歴ＤＢ２０から位置情報の履歴情報を読み出し、第１実施形態のステップＳ１０５と同様の処理によって、徒歩区間、滞在区間、乗り物区間の区分けを行う。
【００５４】
ステップＳ３０３において、制御部２１は、第１実施形態のステップＳ１０６と同様の処理によって、解析結果に応じた広告データを取得する。
【００５５】
ステップＳ３０４において、制御部２１は、アプリケーションプログラムの画面と広告データとを表示する。具体的には、制御部２１は、アプリケーションプログラムの画面の上下の余白に広告データが表す広告を配置してＵＩ部２４に表示させる。アプリケーションプログラムの実行中に常に広告を表示してもよいし、時間を限定して広告を表示してもよい。また、複数の広告を順次切り替えて表示してもよい。また、表示された広告を印刷装置３に送信して印刷するようにしてもよい。
【００５６】
ステップＳ３０５において、制御部２１は、アプリケーションプログラムを終了する旨の指示が入力されたか否かを判定し、当該指示が入力された場合（ステップＳ３０５：ＹＥＳ）には、ステップＳ３０６の処理に進む。
【００５７】
ステップＳ３０６において、制御部２１は、アプリケーションプログラムの利用料金を減額して課金する。具体的には、制御部２１は、アプリケーションプログラムの利用料金から、例えば、その利用料金に予め定められた割引率を乗じた金額を差し引いた金額をＵＩ部２４に表示させるともに、表示させた金額を示す課金データを移動通信網およびインターネット経由でプロバイダのサーバに送信する。
【００５８】
一方、ステップＳ４０１において、制御部２１は、アプリケーションプログラムの画面をＵＩ部２４に表示させる。この場合、広告データは表示されない。
ステップＳ４０２において、制御部２１は、アプリケーションプログラムを終了する旨の指示が入力されたか否かを判定し、当該指示が入力されたならば（ステップＳ４０２：ＹＥＳ）には、ステップＳ４０３の処理に進む。
ステップＳ４０３において、制御部２１は、アプリケーションプログラムの利用料金を課金する。この場合、広告サービスに応じた料金の減額は適用されない。
【００５９】
＜変形例＞
実施形態を次のように変形してもよい。また、複数の変形例を組み合わせてもよい。
実施形態では、滞在区間の位置情報から第二の距離以内の地域を、滞在区間に関連する広告データを取得する対象地域に決定する例を示したが、滞在区間での滞在期間が長いほど第二の距離を長くすることにより、滞在区間における滞在時間が長いほど広告データの対象地域を拡大するようにしてもよい。
滞在区間での滞在期間の長さに応じた種別の広告データを取得するようにしてもよい。例えば、広告ＤＢ４０の各レコードにその広告の種別（ファストフード店、映画館など）を対応付けておき、滞在期間が３０分未満である場合には、ファストフード店の広告データを取得し、滞在期間が２時間以上である場合には、映画館の広告データを取得するようにしてもよい。
【００６０】
ユーザが広告サービスを利用する時刻や曜日に応じた種別の広告データを取得するようにしてもよい。例えば、朝の通勤時間帯ならばファストフード店の広告データを取得し、土曜日、日曜日の日中ならば映画館の広告データを取得するようにしてもよい。
ユーザが広告サービスを利用するときの携帯端末２の位置に応じた広告データを取得するようにしてもよい。例えば、ユーザが広告サービスを利用するときの携帯端末２の位置情報を取得し、実施形態の手順で取得した広告データのうち、この位置情報が示す位置に近接した地域に関連する広告データを取得するようにしてもよい。
【００６１】
ユーザが広告サービスを利用するときの携帯端末２の移動速度に応じた種別の広告データを取得するようにしてもよい。例えば、ユーザが広告サービスを利用するときの直前の複数回分の位置情報から移動速度を算出し、その移動速度から、ユーザの移動手段（徒歩、電車、自動車、飛行機など）を判別し、その移動手段に対応する種別の広告データを取得する。例えば、電車の場合には乗換駅の店舗の広告データ、自動車の場合には駐車場付きの店舗、ガソリンスタンド、道の駅などの広告データ、飛行機の場合には空港の土産物店の広告データを取得するようにしてもよい。
また、電車やバスの路線情報と携帯端末の位置情報とを対比することにより、ユーザの移動手段を判別するようにしてもよい。
【００６２】
位置情報の履歴情報の解析により、同一の徒歩区間、同一の滞在区間、同一の乗り物区間が出現する頻度を求め、その頻度が高い区間ほど優先的にその区間の広告データを取得するようにしてもよい。また、出現の頻度が閾値を超える区間と、ユーザが広告サービスを利用するときの携帯端末２の位置とを対比し、両者の距離が閾値を超えた場合、旅行や出張などの可能性があるから、土産物店や観光地の広告データを取得するようにしてもよい。
広告サービスで印刷した広告データの履歴情報を記憶し、過去に取得した広告データ以外の広告データを優先的に取得してもよい。
【００６３】
実施形態では、地域関連情報として広告データを取得する例を示したが、広告データ以外の地域関連情報を取得してもよい。例えば、来店した客に割引などのサービスを受ける権利を与えるクーポンを取得してもよい。また、地域の防災や防犯に関連する情報や、地域の気象情報などを取得してもよい。また、第２実施形態において、取得した地域関連情報を表す画面を携帯端末２の記憶部２２に記憶させ、ユーザの操作によってその画面をＵＩ部２４に表示させるようにしてもよい。
第１実施形態では、画像データが表す画像の上下の余白に広告データが表す画像を配置する例を示したが、画像データが表す画像を印刷したシートの裏面に広告データが表す画像を印刷してもよい。また、画像データが表す画像を印刷したシートと別のシートに広告データが表す画像を印刷してもよい。また、画像データが表す画像のみをシートに印刷し、広告データが表す画像をＵＩ部３３に表示してもよい。また、これらの形態のいずれかをユーザに選択させ、選択した形態に応じた割引率を適用してもよい。
実施形態では、ネット経由の画像の印刷サービスに広告サービスを付加する例を示したが、印刷装置３が複写機能を備えている場合、複写サービスに広告サービスを付加してもよい。
【００６４】
第２実施形態では、携帯端末２が課金手段２０５を備える例を示したが、アプリケーションプログラムのプロバイダのサーバに課金手段２０５が備えられていてもよい。例えば、ステップＳ３０５においてアプリケーションプログラムを終了する旨の指示が入力されたならば（ステップＳ３０５：ＹＥＳ）、広告サービスが利用された旨を制御部２１がサーバに通知し、サーバの課金手段２０５が料金を減額して課金する。一方、ステップＳ４０２においてアプリケーションプログラムを終了する旨の指示が入力されたならば（ステップＳ４０２：ＹＥＳ）、広告サービスが利用されなかった旨を制御部２１がサーバに通知し、サーバの課金手段２０５が料金を減額せずに課金する。あるいは、アプリケーションプログラムのインストール時に広告サービスの利用の有無をプロバイダのサーバに登録しておき、その登録内容に応じた金額をサーバが課金するようにしてもよい。
【００６５】
実施形態では、履歴ＤＢ２０が携帯端末２に記憶されている例を示したが、履歴ＤＢ２０を外部の記憶装置に記憶させ、この履歴ＤＢ２０から制御装置１（第１実施形態）または携帯端末２（第２実施形態）が位置情報の履歴情報を取得するようにしてもよい。
第１実施形態では、制御装置１が情報取得手段１０３を備える例を示したが、情報取得手段１０３の機能を外部のサーバ（例えば、広告サーバ４）が備えていてもよい。この場合、制御装置１の選択手段１０２が決定した対象地域に該当する広告データを広告サーバ４が広告ＤＢ４０から検索取得し、取得した広告データを制御装置１に送信する。
第２実施形態では、携帯端末２が情報取得手段２０３を備える例を示したが、情報取得手段２０３の機能を外部のサーバ（例えば、広告サーバ４）が備えていてもよい。この場合、携帯端末２の選択手段２０２が決定した対象地域に該当する広告データを、広告サーバ４が広告ＤＢ４０から検索取得し、取得した広告データを携帯端末２に送信する。
第１実施形態において、制御装置１は、印刷装置３と分離されていてもよい。
【００６６】
実施形態では、制御部１１または制御部２１がアプリケーションプログラムを実行することによって上記の機能を実現する例を示したが、上記の機能がハードウェア回路で制御装置１または携帯端末２に実装されていてもよい。また、このプログラムを、光記録媒体、半導体メモリ等、コンピュータで読み取り可能な記録媒体に記録して提供し、この記録媒体からプログラムを読み取って制御装置１または携帯端末２にインストールするようにしてもよい。また、このプログラムを電気通信回線で提供してもよい。
【符号の説明】
【００６７】
１…制御装置、１１…制御部、１２…記憶部、１３…通信部、１４…近距離無線通信部、１０１…位置情報取得手段、１０２…選択手段、１０３…情報取得手段、１０４…出力手段、１０５…課金手段、２…携帯端末、２０…履歴ＤＢ、２１…制御部、２２…記憶部、２３…通信部、２４…ＵＩ部、２０１…位置情報取得手段、２０２…選択手段、２０３…情報取得手段、２０４…表示手段、２０５…課金手段、３…印刷装置、３１…搬送部、３２…印刷部、３３…ＵＩ部、３０１…印刷手段、４…広告サーバ、４０…広告ＤＢ
【図１】
2016062433.tif 000003
【図２】
2016062433.tif 000004
【図３】
2016062433.tif 000005
【図４】
2016062433.tif 000006
【図５】
2016062433.tif 000007
【図７】
2016062433.tif 000008
【図８】
2016062433.tif 000009
【図９】
2016062433.tif 000010
【図６】
2016062433.tif 000011